(57)【要約】【課題】お風呂で使う浴槽の蓋で、蓋を数枚置くタイプは掃除はしやすいが、開閉作業の時、両手で１枚づつ動かしていた。シャッター式と折りたたみ式はたたむときに手間がかかるし音もうるさい又、溝があるためゴミや水が溝にたまり掃除がしにくい欠点があった。この蓋を片手で簡単に開閉作業ができ、また掃除をしやすくすることを課題とした。【解決手段】風呂の蓋を３枚に分割してそれぞれを接続し三つに折たためるようにした。第１蓋体の側面部の接続部に近い位置に取っ手を付け片手で操作できるようにした。第１の蓋体と第２の蓋体が蒸気の水分により貼りつくのを防ぐために、第１の蓋体の浴槽側の面に突起物を付けた。【選択図】図５
2019188098.tif 000002
【特許請求の範囲】
【請求項１】
浴槽用の蓋であって、
直列に配置された第１、第２、及び第３の板状の蓋体と
前記第１の蓋体と前記第２の蓋体とを接続する屈曲自在な第１の接続部と、
前記第２の蓋体と前記第３の蓋体とを接続する屈曲自在な第２の接続部とを備え、
前記第１の接続部は、前記第１、第２の蓋体の一方の面（図１の場合裏面）の辺を連結し、
前記第２の接続部は、前記第２、第３の蓋体の他方側の面（図１の場合表面）の辺を連結すること
を特徴とする三つ折風呂蓋。
【請求項２】
第１の蓋体の側面の接続部に近い位置に取っ手を取り付けることを特徴とした三つ折風呂蓋。
【請求項３】
第１の蓋体の浴槽側の面に張り付かないための突起物
たとえば半球体状のものを取り付けることを特徴とする三つ折風呂蓋。
【発明の詳細な説明】
【技術分野】
【０００１】  風呂の蓋の開閉を片手で簡単にできるようにし、掃除も簡単にできるようにした、お風呂の付属品に関する。
【背景技術】
【０００２】  従来の風呂蓋は独立した広めの蓋を数枚置くタイプか（例えば、特許文献１参照）、シャッター式で巻き取りながらたたむタイプ（例えば、特許文献２参照）が支流であった。
【先行技術文献】
【特許文献】
【０００３】
【特許文献１】特開平６−２２５８４０号公報
【特許文献２】特開平９−１０３３８０号公報
【発明の概要】
【発明が解決しようとする課題】
【０００４】  元来風呂を使用するときは蓋を開ける必要があるわけだが蓋をすべて取り除く必要は無い、浴槽の２／３程度開けば入浴に支障は無いわけである。そこで蓋を浴槽の片隅に片手で簡単にたたむことができるようにすることを考えた。蓋を数枚置くタイプは掃除はしやすいが、開閉作業の時両手で１枚づつ動かしていた。シャッター式はたたむときに手間がかかるし音もうるさい又、溝があるため、ゴミや水が溝にたまり掃除がしにくい欠点があった。【０００５】  風呂の蓋の開閉作業や掃除は毎日行われることなので、使いやすさや掃除のしやすさが一番要求されることである。蓋の開閉作業を片手でできるようにすれば、片方の手で支えることができ安全である。また、板の部分を３枚にして連結し溝の部分を少なくすれば、掃除も簡単にできるようになる。
【課題を解決するための手段】
【０００６】  直列に配置された第１、第２、及び第３の板状の蓋体と、前記第１の蓋体と前記第２の蓋体とを接続する屈曲自在な第１の接続部と、前記第２の蓋体と前記第３の蓋体とを接続する屈曲自在な第２の接続部とを備え、前記第１の接続部は前記第１、第２の蓋体の一方の面（図１の場合裏面）の辺を連結し、前記第２の接続部は前記第２、第３の蓋体の他方側の面（図１の場合表面）の辺を連結する。【０００７】  第１の蓋体の側面の接続部に近い位置に板状の取っ手を蓋体と平行に取り付ける。【０００８】  第１の蓋体と第２の蓋体が蒸気の水分により貼りつくのを防ぐために、第１の蓋体の浴槽側の面に張り付かないための突起物、たとえば半球体状のものを付ける。
【発明の効果】
【０００９】  本発明は、蓋の開閉の使いやすさ  掃除のしやすさを重視して考えたものである。三つ折にして取っ手を付けたため、開閉時に取っ手を持ち上げるようにすると、第１蓋体が浴槽のふちを滑るように移動して容易に開閉作業ができるようになる。両手を使わないので片方の手を支えにすれば安全である。【００１０】  蓋を三つ折にしたために接続部が２ヶ所になり掃除が簡単になった。シャッター式にくらべるとゴミやホコリ、水が溜まりにくくなり、衛生的にも効果がある。【００１１】  三つ折風呂蓋を屏風のように１／３ほど開いて横に立てかければ、自立するので水切れが良く乾かすときに便利になる。【００１２】  従来の素材が使えるので生産者側の設備投資が少なくてすむ。
【図面の簡単な説明】
【００１３】
【図１】本発明の実施形態で三つ折風呂蓋を示した斜視図
【図２】同三つ折風呂蓋の取っ手を示した斜視図
【図３】同三つ折風呂蓋の突起物を示した斜視図
【図４】同三つ折風呂蓋の動きを示した側面図
【図５】同三つ折風呂蓋の動きを示した外観斜視図
【図６】同三つ折風呂蓋を立てかけた斜視図
【発明を実施するための形態】
【００１４】以下、本発明の実施の形態を図面を参照しながら詳細に説明する。
【００１５】  図１は三つ折風呂蓋の斜視図であって、蓋を広げた状態と蓋をたたんだ状態を示す。
【００１６】  素材は従来の蓋に使用しているものでよい。たとえば硬質発泡ウレタンやＡＢＳ樹脂、硬質プラスティックなどで特殊な素材を使用する必要はない。
【００１７】  直列に配置された第１、第２、及び第３の板状の蓋体と、前記第１の蓋体と前記第２の蓋体とを接続する屈曲自在な第１の接続部と、前記、第２の蓋体と前記第３の蓋体とを接続する屈曲自在な第２の接続部とで構成されている。
【００１８】  屈曲自在な前記第１の接続部は、前記第１、第２の蓋体の一方の面（図１の場合裏面）の辺を連結し、屈曲自在な前記第２の接続部は、前記第２、第３の蓋体の他方側の面（図１の場合表面）の辺を連結する。
【００１９】  屈曲自在な接続部の構成は特に指定は無いが、蝶版などの継ぎ手は傷が付いたり見栄えが悪い点から言えば避けたい。たとえばゴム状のものや軟質プラスティックなどで、幅の広いテープ状にしたもので辺を貼り付け、蓋体をコーティングするような形態のものがよい。
【００２０】  前記第１の蓋体の側面の接続部に近い位置に板状の取っ手を蓋体と平行になるように取り付ける。
【００２１】  図２は取っ手４の取付け状態を示す。板状の取っ手は蓋体と平行になるように取付ける。親指と人差し指で持てるような形状で蓋を開けるときは逆時計回りに回すように上に持ち上げると容易に開けることができる。
【００２２】  図３は半球体状の突起物５を第１蓋体の浴槽面側に取り付けている図である。蓋を閉じる際に蓋体同士がスムーズに離れるように前記第１蓋体の浴槽に接する面に突起物を数個付けることで、蓋体同士が蒸気の水分により貼りつくのを防いでいる。
【実施例】
【００２３】  図４と図５は三つ折風呂蓋の側面図と斜視図で、蓋の動きがわかるように連続して図解してみた。図面は風呂蓋を右側にたたむように書いてあるのでそれに沿って説明する。【００２４】  蓋を広げている状態から取っ手を逆時計回りにひねりながら右上に持ち上げると、左側の第１蓋体が浴槽を滑るように中央に移動してくる。【００２５】  取っ手を右に移動して第１蓋体を第２蓋体に合わせる。【００２６】  取っ手を右下に降ろして第３蓋体の上に乗せていく。【００２７】  蓋を広げる場合は反対の操作をする。取っ手を持ち第１蓋体と第２蓋体をゆっくりと左上に持ち上げる。９０°まで持ち上げたら取っ手を時計回りにひねりながら第１蓋体の左の辺を浴槽の上に載せゆっくりと左側に滑らせながら降ろす。【００２８】  図６は三つ折風呂蓋を屏風のように横に立てかけた図である。１／３ほど開けば自立するので水切れが良く乾かすときに便利になる。
【産業上の利用可能性】
【００２９】  本発明は従来の風呂製品を作成している産業分野で利用できる。
【符号の説明】
【００３０】１・・第１蓋体
２・・第２蓋体
３・・第３蓋体
４・・取っ手
５・・第１接続部
６・・第２接続部
７・・突起物
８・・浴槽
【図１】
2019188098.tif 000003
【図２】
2019188098.tif 000004
【図３】
2019188098.tif 000005
【図４】
2019188098.tif 000006
【図５】
2019188098.tif 000007
【図６】
2019188098.tif 000008